(57)【要約】【課題】  グリーン上の微妙なアンジュレーションを見極めるための補助機能を備えたゴルフ用パターを提供すること【解決手段】  ゴルフ用パター１０は、シャフト１２の上方にグリップ１４を、下方他端にヘッド１６を備えている。ヘッド１６の上面には、水平器２０が設けられている。水平器２０は、中空内に液体２２と気泡２４が封入され、ケース２６がヘッド１６の上面に露出している。透明なケース２６内において液体２２中で気泡２４が内側上面に沿って移動する動作を行なう。ヘッド１６の上面には、ケース２６の側方に目盛り２８が設けられている。気泡２４の位置を目盛り２８で認識することにより、グリーンの傾きを正確に把握することができる。【選択図】  図１
0003110322.tif 000002
【実用新案登録請求の範囲】
【請求項１】
シャフトの上方でグリップを備えるとともに、シャフトの下方で前面にフェースが形成されたヘッドを備えたゴルフ用パターにおいて、
中空内側上面が凸円弧状に湾曲する透明ケース内に液体と気泡が充填された水平器を前記ヘッドの上面に配設したことを特徴とする、ゴルフ用パター。
【請求項２】
前記ヘッドが水平器を収納する凹所を備え、前記水平器が前記凹所に着脱自在である、請求項１記載のゴルフ用パター。
【請求項３】
前記水平器がヘッドの長手方向に延びる矩形であり、前記ヘッドに目盛りが設けられている、請求項１又は請求項２記載ゴルフ用パター。
【請求項４】
前記水平器がヘッドの長手方向に延びる矩形であり、前記透明ケースに目盛りが設けられている、請求項１又は請求項２記載のゴルフ用パター。
【請求項５】
前記水平器が円形であり、前記透明ケースの中空内側上面が球面状に湾曲する、請求項１又は請求項２記載のゴルフ用パター。
【請求項６】
前記水平器の透明ケースに放射状の目盛りと同心円状の目盛りが設けられている、請求項５記載のゴルフ用パター。
【考案の詳細な説明】
【技術分野】
【０００１】
本考案は、水平器を備えたゴルフ用パターに関する。より詳細には、本考案は、グリーンの微妙なアンジュレーションを視覚により正確に把握できるように構成した、水平器付きゴルフ用パターに関する。
【背景技術】
【０００２】
ゴルフ競技においては、グリーン上ではパターが使用される。パターは、グリーン上で用いられるゴルフクラブの１つである。パターは、長尺状のシャフト先端にヘッドを備え、ヘッドのフェースでボールを打ってグリーンのカップ穴にボールを入れるためのクラブである。
【考案の開示】
【考案が解決しようとする課題】
【０００３】
グリーンは必ずしも平坦ではない。自然の造形で傾斜していることもあり、意図的に全体又は部分的に傾斜していることもある。ゴルフプレイヤーは、キャディの意見や他のプレーヤーの打球を参考にしながら、自分自身でグリーンの微妙なアンジュレーションを見極め、打球の方向と強さを調整する。
しかし、グリーンの微妙なアンジュレーションを視覚によって把握することは非常に難しい。グリーンまでの上り下りや、グリーン周囲の木々の生え方によって、プレーヤーがアンジュレーションに錯覚を生じることもある。
【０００４】
また、グリーン上にマウンドが形成されていたり、凸凹が連続していたりする場合は、ボールとカップ穴の間のラインで、上り、下り、フック、スライスが組み合わされ、カップ穴までの間のボールの動きを予想しがたい。
【０００５】
本考案の目的は、グリーン上の微妙なアンジュレーションを見極めるための補助機能を備えたゴルフ用パターを提供することにある。
本考案の他の目的は、グリーンの傾斜を数値で指標することができるゴルフ用パターを提供することにある。
【課題を解決するための手段】
【０００６】
本考案は、シャフトの上方でグリップを備えるとともに、シャフトの下方で前面にフェースが形成されたヘッドを備えたゴルフ用パターにおいて、中空内側上面が凸円弧状に湾曲する透明ケース内に液体と気泡が充填された水平器を前記ヘッドの上面に配設したゴルフ用パターにより前記課題を解決した。
【０００７】
グリーン上にパターを載せると、パターを置いた地点が水平である場合にはケースの気泡が変位せず、パターを置いた地点が傾斜している場合にはケースの気泡が変位する。気泡は透明ケース内の凸円弧状に湾曲する中空内側上面に沿って変位し、プレーヤーは透明ケース内の気泡の変位によって、傾斜方向と傾斜の程度を認識する。ヘッドの向きを変えることによって、ボールの転がるラインが、上りであるのか下りであるのか、フックであるのかスライスであるのかを認識する。水平器によって傾斜方向及び傾斜程度を予め認識することにより、パッティング数が減り、スコアアップできる。
【０００８】
ヘッドが水平器を収納する凹所を備え、水平器が凹所に着脱自在であることが好ましい。着脱自在とすることにより、水平器を装着せずに肉眼観察によって予め傾斜方向及び傾斜の程度を把握し、その後、水平器を装着して肉眼観察の結果を確認することで、グリーンの傾斜方向及び傾斜程度の観察力を養うことができる。
【０００９】
水平器の１つの形態として、水平器はヘッドの長手方向に延びる矩形であり、そのヘッドに目盛りが設けられている。水平器の他の形態として、水平器はヘッドの長手方向に延びる矩形であり、透明ケースに目盛りが設けられている。目盛りによって傾斜程度が指標されるので、打球の転がり具合や挙動を知ることができる。
【００１０】
水平器のさらに他の形態として、水平器は円形であり、透明ケースの中空内側上面が球面状に湾曲するものでもよい。こうすることにより、球面状ケース内で気泡が二次元に変位するので、上りか下りか、フックかスライスかを同時に認識することができる。例えば、気泡の変位によって、軽い上りで大きくスライス等のように複雑なボールの挙動を予め知ることができる。
【００１１】
好ましい形態のゴルフ用パターでは、水平器の透明ケースに放射状の目盛りと同心円状の目盛りが設けられている。気泡の変位を放射状の目盛りで読むことにより傾斜方向が指標され、気泡の変位を同心円状の目盛りで読むことにより傾斜程度が指標される。気泡の変位位置を参考にすることで、正確にラインを予想することができる。
【考案を実施するための最良の形態】
【００１２】
以下、図面を参照して本考案によるゴルフ用パターの実施例を説明する。
図１は本考案によるゴルフ用パターの第１実施例を示す斜視図、図２は図１のゴルフ用パターの平面図、図３は図２の３−３線断面図である。
【００１３】
ゴルフ用パター１０は、長尺状のシャフト１２の上方一端にグリップ１４を備えるとともに、シャフト１２の下方他端にヘッド１６を備えている。本実施例のゴルフ用パター１０は、いわゆるＬ型であり、シャフト１２の下方端部からヘッド１６がＬ字状に延びている。本実施例では、いわゆるＴ型と呼ばれるような、シャフト１２の下方端部からヘッド１６がＴ字状に延びている形態のパターも対象となる。
【００１４】
本実施例のヘッド１６は実質的に直方体である。ヘッド１６の前面には、ボールを打つための平坦なフェース１８が形成されている。ヘッド１６の上面には、水平器２０が設けられており、プレーヤーがボールを打つときに水平器２０が視界に入るようになっている。
【００１５】
水平器２０は、中空内に液体２２と気泡２４が封入された透明なケース２６より構成されている。水平器２０は、ゴルフ用パター１０のヘッド１６に埋設されており、ケース２６がヘッド１６の上面に露出している。水平器２０は、ヘッド１６に形成された凹所に着脱自在に埋設されるように構成されていてもよい。
ケース２６は、実質的に矩形であり、中空部分に凸円弧状に湾曲する内側上面を備えている。透明なケース２６内において液体２２中で気泡２４が内側上面に沿って移動する動作を行なう。プレーヤーは、ボールを打つときに、気泡２４の動作を視覚でとらえることができる。
ゴルフ用パター１０のヘッド１６が水平姿勢にあるとき、図３に示されるように、気泡２４はケース２６の中心に位置し、ゴルフ用パター１０のヘッド１６が傾斜姿勢（図２で左右のいずれかに傾斜している姿勢）にあるとき、気泡２４はケースの中心からずれて位置する。プレーヤーは、気泡２４の位置を参考にして、ボールを打つ方向を決める。
【００１６】
ヘッド１６の上面には、ケース２６の側方において目盛り２８が刻設や焼付等により設けられている。ヘッド１６が傾斜して気泡２４がケース２６の中心からずれで位置しているとき、気泡２４の位置を目盛り２８で認識することにより、ヘッド１６の傾き、すなわち、グリーンの傾きを正確に把握することができる。本実施例のゴルフ用パター１０では、目盛り２８によって少なくともフックかスライスかを認識できる。
【００１７】
図４は本考案によるゴルフ用パターの第２実施例を示す斜視図、図５は図４のゴルフ用パターの平面図、図６は図４のゴルフ用パターの水平器の拡大平面図である。
【００１８】
本実施例のゴルフ用パター３０は、シャフト３２の上方一端にグリップ３４を備えるとともに、シャフト３２の下方他端にヘッド３６を備えている。本実施例のゴルフ用パター３０では、前面にフェース３８を備えたヘッド３６の形状がいわゆるかまぼこ型である。フェース３６ヘッド３６の上面には水平器４０が設けられており、プレーヤーがボールを打つときに水平器４０が視界に入るようになっている。
【００１９】
水平器４０は、液体中に気泡４４が封入された透明なケース４６より構成されている。水平器４０は、ゴルフ用パター３０のヘッド３６に埋設されており、ケース４６がヘッド３６の上面に露出している。ケース４６は、平面視したときに円形であり、中空部分の内側上面が球面である。透明なケース４６内において液体中で気泡４４が内側上面に沿って移動する動作を行なう。プレーヤーは、ボールを打つときに、気泡４４の動作を視覚でとらえることができる。
ゴルフ用パター３０のヘッド３６が水平姿勢にあるとき、気泡４４はケース４６の中心に位置し、ゴルフ用パター３０のヘッド３６が傾斜姿勢（図５で左右前後のいずれかに傾斜している姿勢）にあるとき、気泡４４はケースの中心からずれて位置する。プレーヤーは、気泡４４の位置を参考にして、ボールを方向を決める。
【００２０】
ケース４６の上面には、放射状の目盛４８と同心円状の目盛り５０が刻設や印刷等により設けられている。ヘッド３６が傾斜して気泡４４がケース４６の中心からずれで位置しているとき、気泡４４の位置を目盛り４８及び目盛り５０で認識することにより、ヘッド３６の傾き、すなわち、グリーンの水平４方向の傾きを正確に把握することができる。
本実施例のゴルフ用パター３０では、放射状の目盛り４８によって上り、下り、フック、スライスを認識し、同心円状の目盛り５０によって傾斜の大きさの認識できる。図６において、実線の位置に気泡４４が変位した場合、放射状の目盛りによって下りのフックラインの傾斜地点であることを認識でき、同心円状の目盛りによって下りはやや強め、フックはわずかであることを認識できる。また、鎖線の位置に気泡４４が変位した場合、放射状の目盛りによって下りのスライスラインの傾斜地点であることを認識でき、同心円状の目盛りによって下りは僅か、スライスは強めであることを認識できる。
【００２１】
次に、本考案におるゴルフ用パターの利用例について、図７を参照しながら第２実施例のゴルフ用パター３０を用いて説明する。図７は、グリーン上でボール５２とカップ穴５４を示している。プレーヤーは、ゴルフ用パター３０を用いてカップ穴５４に向ってボール５２を打つ。このとき、グリーン上の微妙なアンジュレーションを視覚だけでなく、ゴルフ用パター３０を用いて把握する。
【００２２】
プレーヤーは、ボール５２が転がるであろうと思われるライン上の数ヶ所、例えば、Ａ地点、Ｂ地点、Ｃ地点、Ｄ地点においてゴルフ用パター３０を置く。水平器４０の気泡４４は、各地点の傾斜に応じた挙動を行なう。プレーヤーは、気泡４４が放射状の目盛４８と同心円の目盛り５０のどの位置に変位しているかを参考にして、ボールの転がるラインや速さを想像する。こうすることにより、視覚だけでなく、また、錯覚に影響されることなく、上り、下り、フック、スライスの別と、上りの程度、下りの程度、フックの程度、スライスの程度を正確に把握することができる。
【図面の簡単な説明】
【００２３】
【図１】本考案によるゴルフ用パターの第１実施例の斜視図。
【図２】図１のゴルフ用パターの平面図。
【図３】図２の３−３線断面図。
【図４】本考案によるゴルフ用パターの第２実施例の斜視図。
【図５】図４のゴルフ用パターの平面図。
【図６】図４のゴルフ用パターの水平器の拡大平面図。
【図７】第２実施例のゴルフ用パターの利用例を示す平面図。
【符号の説明】
【００２４】
１０，３０  ゴルフ用パター      １６，３６  ヘッド
２０，４０  水平器              ２４，４４  気泡
２８，４８，５０  目盛り
【図１】
0003110322.tif 000003
【図２】
0003110322.tif 000004
【図３】
0003110322.tif 000005
【図４】
0003110322.tif 000006
【図５】
0003110322.tif 000007
【図６】
0003110322.tif 000008
【図７】
0003110322.tif 000009